(57)【要約】【課題】電気機器収納用箱体へ組み付けることで錆等を隠して見栄えを向上する化粧部材について、電気機器収納用箱体そのものを交換せずとも組み付けることができ、またその組み付けを容易に行うことができる化粧部材の組み付け構造を提供する。【解決手段】左前板１４の後面側における下端に係止片３１を設ける一方、底板１３の前端縁に被係止部２７を設けており、左前板１４を前方へ傾斜させた状態で左前板１４の係止片３１を被係止部２７へ仮係止させ、当該仮係止箇所を軸に左前板１４の上端側を分電盤１側へ起こしていき、最終的に略垂直な起立姿勢にすると、係止片３１と被係止部２７とが係止状態になるようにした。また、当該係止状態のまま、左前板１４と天板１２及び側板１１とをネジ止めして一体化することによって、左前板１４を組み付け可能とした。【選択図】図８
2018152513.tif 000002
【特許請求の範囲】
【請求項１】
前板、天板、底板、及び左右両側板を有し、壁面に設置された電気機器収納用箱体に対して、その前面、天面、底面、及び左右両側面を覆うように組み付けられる化粧部材の組み付け構造であって、
前記前板の下端部に、係止部が設けられているとともに、前記底板の前縁部に、前記係止部が係止可能な被係止部が設けられている一方、
前記前板の上端部に、前記天板に固定する固定部が設けられているとともに、前記天板の前縁部に、前記固定部が固定される被固定部が設けられており、
前記前板を前方へ傾倒させた状態で前記係止部を前記被係止部へ仮係止させ、その仮係止部を軸として前記前板を起立させていき、前記前板を起立姿勢とすることをもって前記係止部と前記被係止部とを係止させ、さらに当該係止状態のまま前記固定部と前記被固定部とを固定して前記天板と前記前板とを一体化することにより、前記前板が前記電気機器収納用箱体へ組み付けられることを特徴とする化粧部材の組み付け構造。
【請求項２】
前記前板の左右両側縁部に、後方へ折り曲げられた折り曲げ部が夫々設けられている一方、各前記側板の前端部に、前記側板を前記電気機器収納用箱体の側面へネジ止めするためのネジ止め部が設けられており、
前記前板の前記電気機器収納用箱体への組み付けに伴い、前記ネジ止め部が前記折り曲げ部により覆われることを特徴とする請求項１に記載の化粧部材の組み付け構造。
【発明の詳細な説明】
【技術分野】
【０００１】
本発明は、たとえば分電盤等といった電気機器収納用箱体を覆うように組み付けられる化粧部材の組み付け構造に関するものである。
【背景技術】
【０００２】
従来、電気機器収納用箱体としては、たとえば特許文献１に記載されているような分電盤等があり、マンションやホテル等といった集合住宅の壁面に取り付けられている。
【先行技術文献】
【特許文献】
【０００３】
【特許文献１】特開２０１１−３６０３６号公報
【発明の概要】
【発明が解決しようとする課題】
【０００４】
上述したような電気機器収納用箱体に錆が生じたりした際、電気機器収納用箱体そのものを交換するとなると、長時間にわたって停電等させる必要があるため、そのような交換は望まれない。とは言うものの、そのまま放置していると、集合住宅の居住者や入居希望者等が悪い印象を抱きかねないという問題がある。
【０００５】
そこで、本発明は、上記問題に鑑みなされたものであって、電気機器収納用箱体へ組み付けることで錆等を隠して見栄えを向上する化粧部材について、電気機器収納用箱体そのものを交換せずとも組み付けることができ、またその組み付けを容易に行うことができる化粧部材の組み付け構造を提供しようとするものである。
【課題を解決するための手段】
【０００６】
上記目的を達成するために、本発明のうち請求項１に記載の発明は、前板、天板、底板、及び左右両側板を有し、壁面に設置された電気機器収納用箱体に対して、その前面、天面、底面、及び左右両側面を覆うように組み付けられる化粧部材の組み付け構造であって、前記前板の下端部に、係止部が設けられているとともに、前記底板の前縁部に、前記係止部が係止可能な被係止部が設けられている一方、前記前板の上端部に、前記天板に固定する固定部が設けられているとともに、前記天板の前縁部に、前記固定部が固定される被固定部が設けられており、前記前板を前方へ傾倒させた状態で前記係止部を前記被係止部へ仮係止させ、その仮係止部を軸として前記前板を起立させていき、前記前板を起立姿勢とすることをもって前記係止部と前記被係止部とを係止させ、さらに当該係止状態のまま前記固定部と前記被固定部とを固定して前記天板と前記前板とを一体化することにより、前記前板が前記電気機器収納用箱体へ組み付けられることを特徴とする。
また、請求項２に記載の発明は、請求項１に記載の発明において、前記前板の左右両側縁部に、後方へ折り曲げられた折り曲げ部が夫々設けられている一方、各前記側板の前端部に、前記側板を前記電気機器収納用箱体の側面へネジ止めするためのネジ止め部が設けられており、前記前板の前記電気機器収納用箱体への組み付けに伴い、前記ネジ止め部が前記折り曲げ部により覆われることを特徴とする。
【発明の効果】
【０００７】
本発明によれば、化粧部材の前板の下端部に、係止部が設けられているとともに、化粧部材の底板の前縁部に、係止部が係止可能な被係止部が設けられている一方、化粧部材の前板の上端部に、化粧部材の天板に固定する固定部が設けられているとともに、天板の前縁部に、固定部が固定される被固定部が設けられており、前板を前方へ傾倒させた状態で係止部を被係止部へ仮係止させ、その仮係止部を軸として前板を起立させていき、前板を起立姿勢とすることをもって係止部と被係止部とを係止させ、さらに当該係止状態のまま固定部と被固定部とを固定して天板と前板とを一体化することにより、前板が電気機器収納用箱体へ組み付けられるようになっている。したがって、電気機器収納用箱体そのものを交換せずとも化粧部材を組み付けることができるとともに、その組み付け作業に関しても１人の作業者で容易に行うことができる。
また、請求項２に記載の発明によれば、前板の左右両側縁部に、後方へ折り曲げられた折り曲げ部が夫々設けられている一方、各側板の前端部に、当該側板を電気機器収納用箱体の側面へネジ止めするためのネジ止め部が設けられており、前板の電気機器収納用箱体への組み付けに伴い、ネジ止め部が折り曲げ部により覆われるようになっている。すなわち、前板の折り曲げ部によって、側板の電気機器収納用箱体へのネジ止め部が隠されるため、第三者にネジが緩められるようなことを防止することができ、組み付け状態を長期にわたって好適に維持することができる。
【図面の簡単な説明】
【０００８】
【図１】化粧部材を分電盤に組み付けた状態を示した斜視説明図である。
【図２】分解状態にある化粧部材と分電盤とを示した斜視説明図である。
【図３】左前板及び右前板が取り外された分電盤を右側から示した説明図である。
【図４】側板を分電盤に組み付ける様子を示した説明図である。
【図５】分電盤の天面への側板の当接状態を拡大して示した説明図である。
【図６】天板の組み付けを示した説明図である。
【図７】底板の組み付けを示した説明図である。
【図８】左前板の組み付けを示した説明図である。
【図９】右前板の組み付けを示した説明図である。
【図１０】化粧部材が組み付けられた分電盤の垂直断面を示した説明図である。
【図１１】左前板と底板との係止箇所を拡大して示した説明図である。
【図１２】化粧部材が組み付けられた分電盤の水平断面を示した説明図である。
【発明を実施するための形態】
【０００９】
以下、本発明の一実施形態となる化粧部材の組み付け構造について、図面にもとづき詳細に説明する。
【００１０】
図１は、化粧部材を分電盤１に組み付けた状態を示した斜視説明図である。図２は、分解状態にある化粧部材と分電盤１とを示した斜視説明図である。図３は、左前板１４及び右前板１５が取り外された分電盤１を右側から示した説明図である。図４は、側板１１、１１を分電盤１に組み付ける様子を示した説明図であり、図５は、分電盤１の天面への側板１１の当接状態を拡大して示した説明図である。図６は、天板１２の組み付けを、図７は、底板１３の組み付けを夫々示した説明図である。図８は、左前板１４の組み付けを、図９は、右前板１５の組み付けを夫々示した説明図である。図１０は、化粧部材が組み付けられた分電盤１の垂直断面を示した説明図であり、図１１は、左前板１４と底板１３との係止箇所を拡大して示した説明図である。図１２は、化粧部材が組み付けられた分電盤１の水平断面を示した説明図である。
【００１１】
化粧部材は、壁面に設置された分電盤１の前面、天面、底面、及び左右両側面を覆うように組み付けられるものであって、分電盤１へネジ止めされて分電盤１の側面を覆う一対の側板１１、１１と、当該側板１１、１１へネジ止めされて分電盤１の天面を覆う天板１２と、同じく側板１１、１１へネジ止めされて分電盤１の底面を覆う底板１３と、左側の側板１１及び天板１２へネジ止めされて分電盤１の前面の左半分を覆う左前板１４と、右側の側板１１及び天板１２へネジ止めされて分電盤１の前面の右半分を覆う右前板１５とを有してなる。
【００１２】
側板１１は、上下方向が長手方向、前後方向が短手方向となる板体であって、上下長さは分電盤１の上下方向長さ（壁面から露出する部分における上下長さ）よりも長く、前後幅は分電盤１の前後幅（壁面から露出する部分における前後幅）と略同じとされている。また、側板１１の上縁部には、組み付け時に分電盤１側となる方向へ折り曲げられた折り曲げ部１１Ａが設けられており、当該折り曲げ部１１Ａの下面には、下方へ突出する補強金具２２（図５に示す）が固着されている。さらに、側板１１の前端縁には、夫々上下方向へ長い長孔２３ａを有し、側板１１を分電盤１へネジ止めするための３つのネジ止め部２３、２３・・が上下方向に所定の間隔をあけて並設されている。加えて、側板１１の上端縁には、天板１２をネジ止めするためのネジ孔２４ａ、２４ａが、側板１１の前端縁でネジ止め部２３、２３間となる位置や、最も下のネジ止め部２３よりも下側の位置には、左前板１４や右前板１５をネジ止めするためのネジ孔２４ｂ、２４ｂが、側板１１の下端縁には、底板１３へネジ止めするための固定孔２４ｃ、２４ｃが設けられている。なお、側板１１の前縁部や後縁部も組み付け時に分電盤１側となる方向へ折り曲げられおり、側板１１自身の強度向上が図られている。
【００１３】
天板１２は、左右方向が長手方向、前後方向が短手方向となる板体であって、左右長さは分電盤１の左右方向長さよりも僅かに長く、前後幅は分電盤１の天面の前後幅（本実施形態における分電盤１の天面には庇部が設けられているため、側板１１よりは幅広となる）と略同じとされている。また、天板１２の前縁部及び左右両側部には、夫々下方へ折り曲げられた折り曲げ部１２Ａ、１２Ｂが設けられており、左右両側の折り曲げ部１２Ａには天板１２を側板１１へネジ止めするための固定孔２５、２５が、前側の折り曲げ部１２Ｂには天板１２へ左前板１４や右前板１５をネジ止めするためのネジ孔２６、２６・・が設けられている。
【００１４】
底板１３は、左右方向が長手方向、前後方向が短手方向となる板体であって、左右長さは分電盤１の左右方向長さよりも僅かに長く、前後幅は分電盤１の底面よりも長く、ここでは天板１２と略同じ大きさとされている。また、底板１３の前縁部には、上方へ折り曲げられた後に前側へ再び折り曲げられてなる被係止部２７が設けられており、後述する左前板１４や右前板１５の係止片３１が係止可能となっている。さらに、底板１３の左右両端面には、側板１１をネジ止めするためのネジ孔２８、２８が設けられている。
【００１５】
左前板１４及び右前板１５は上下方向が長手方向、左右方向が短手方向となる板体であって、上下長さは分電盤１の上下方向長さと略同じであり、左右幅は分電盤１の左右幅の略半分とされている。また、左前板１４及び右前板１５の左右方向での外縁部（左前板１４の左縁部及び右前板１５の右縁部）には、後方へ折り曲げられた折り曲げ部１４Ａ、１５Ａが夫々設けられており、当該折り曲げ部１４Ａ、１５Ａの後端縁には、左前板１４や右前板１５を夫々対応する側板１１へネジ止めするための切り欠き状のネジ止め部３０、３０が設けられている。さらに、左前板１４及び右前板１５の上端縁には、自身を天板１２へネジ止めするための固定孔２９、２９が夫々設けられている。加えて、左前板１４及び右前板１５の後面側における下端部には、後方へ突出した後に下側へ折り曲げられてなる係止片３１（図１１に示す）が夫々設けられており、底板１３の被係止部２７へ係止可能となっている。
【００１６】
そして、上記側板１１、天板１２、底板１３、及び左右の前板１４、１５は次のようにして分電盤１へ組み付けられる。
まず、分電盤１の左右両側面における前縁際に、３つのネジ孔２、２・・を上下方向へ所定間隔毎に並設する。次に、補強金具２２の下面を分電盤１の天面に当接させつつ（図５）、左右の側板１１、１１を分電盤１の左右側面にあてがう。そして、ネジ止め部２３、２３・・とネジ孔２、２・・との位置をあわせ、側板１１、１１を分電盤１の左右側面にネジ止めすることにより、側板１１、１１を組み付ける（図４）。また、分電盤１の天面を側板１１、１１の折り曲げ部１１Ａ、１１Ａごと覆うように、天板１２を上方から嵌め込む。すると、各側板１１のネジ孔２４ａ、２４ａの外側（左側若しくは右側）に天板１２の固定孔２５、２５が一致するため、天板１２と側板１１、１１とをネジ止めして一体化することにより、天板１２を組み付ける（図６）。さらに、分電盤１の底面を覆うように、底板１３を側板１１、１１間に嵌め込む。すると、各側板１１の固定孔２４ｃ、２４ｃの内側（右側若しくは左側）に底板１３のネジ孔２８、２８が一致するため、底板１３と側板１１、１１とをネジ止めして一体化することにより、底板１３を組み付ける（図７）。
【００１７】
また、上述したように底板１３を組み付けた状態にあっては、底板１３の被係止部２７が分電盤１の前面よりも前方へ突出している。そこで、左前板１４を前方へ傾斜させた状態で左前板１４の係止片３１を被係止部２７へ仮係止させ（図８）、当該仮係止箇所を軸に左前板１４の上端側を分電盤１側へ起こしていき、最終的に略垂直な起立姿勢とする。すると、係止片３１と被係止部２７とが係止状態になる（図１０、図１１）一方、天板１２のネジ孔２６、２６の外側（前側）に左前板１４の固定孔２９、２９が一致するとともに、左側の側板１１のネジ孔２４ｂ、２４ｂの外側（左側）に左前板１４のネジ止め部３０、３０が一致するため、左前板１４と天板１２及び側板１１とをネジ止めして一体化することにより、左前板１４を組み付ける。なお、左前板１４の組み付けに伴い、左側の側板１１のネジ止め部２３、２３・・は、左前板１４の折り曲げ部１４Ａの後端縁により覆われる（図１、図１２）。
【００１８】
さらに、右前板１５も左前板１４同様に組み付ける。すなわち、右前板１５を前方へ傾斜させた状態で右前板１５の係止片３１を被係止部２７へ仮係止させ（図９）、当該仮係止箇所を軸に右前板１５の上端側を分電盤１側へ起こしていき、最終的に略垂直な起立姿勢とする。すると、係止片３１と被係止部２７とが係止状態になる（図１０、図１１）一方、天板１２のネジ孔２６、２６の外側（前側）に右前板１５の固定孔２９、２９が一致するとともに、右側の側板１１のネジ孔２４ｂ、２４ｂの外側に右前板１５のネジ止め部３０、３０が一致するため、右前板１５と天板１２及び側板１１とをネジ止めして一体化すればよい。なお、右前板１５の組み付けに伴い、右側の側板１１のネジ止め部２３、２３・・は、右前板１５の折り曲げ部１５Ａの後端縁により覆われる（図１、図１２）。
【００１９】
以上のような化粧部材の組み付け構造によれば、左前板１４及び右前板１５の後面側における下端部に係止片３１を設ける一方、底板１３の前縁部に被係止部２７を設けており、左前板１４及び右前板１５を前方へ傾斜させた状態で左前板１４及び右前板１５の係止片３１、３１を被係止部２７へ仮係止させ、当該仮係止箇所を軸に左前板１４及び右前板１５の上端側を分電盤１側へ起こしていき、最終的に略垂直な起立姿勢にすると、係止片３１、３１と被係止部２７とが係止状態になるようにした。また、当該係止状態において、天板１２のネジ孔２６、２６・・の外側に左前板１４及び右前板１５の固定孔２９、２９が一致し、側板１１、１１のネジ孔２４ｂ、２４ｂ・・の外側に左前板１４及び右前板１５のネジ止め部３０、３０・・が一致するようにしており、両前板１４、１５と底板１３とを係止させたまま、両前板１４、１５と天板１２及び側板１１とをネジ止めすることによって、両前板１４、１５を組み付け可能としている。したがって、分電盤１の箱体を交換せずとも化粧部材を組み付けることができ、錆等を隠して見栄えを良くすることができるとともに、その組み付け作業に関しても１人の作業者で容易に行うことができる。
【００２０】
また、左前板１４及び右前板１５の左右方向で外側の側縁部に、後方へ折り曲げられた折り曲げ部１４Ａ、１５Ａを夫々設け、左前板１４及び右前板１５の組み付けに伴い、折り曲げ部１４Ａ、１５Ａの後端縁が、側板１１、１１を分電盤１の側面にネジ止めするネジ止め部２３、２３・・を覆うようにした。したがって、左前板１４及び右前板１５の折り曲げ部１４Ａ、１５Ａにより、側板１１、１１のネジ止め部２３、２３・・が隠されることになるため、第三者にネジが緩められるようなことを防止することができ、組み付け状態を長期にわたって好適に維持することができる。
【００２１】
さらに、側板１１、１１にのみネジ止め部２３、２３・・が設けられており、側板１１、１１を分電盤１にネジ止めして組み付けた後、天板１２、底板１３、及び左右両前板１４、１５については、当該側板１１、１１へネジ止めして組み付けることになる。したがって、分電盤１に対する作業としては、側面に側板１１、１１を組み付けるためのネジ孔２、２・・を設けるだけでよく、非常に容易に組み付けることができる。
【００２２】
なお、本発明に係る化粧部材の組み付け構造は、上記実施形態の態様に何ら限定されるものではなく、大きさや各部材の形状等は勿論のこと、電気機器収納用箱体への組み付けに係る構成等についても、本発明の趣旨を逸脱しない範囲で、必要に応じて適宜変更することができる。
【００２３】
たとえば、上記実施形態では、前板を左前板と右前板とに二分割していたが、一枚の前板で電気機器収納用箱体の前面を覆うように構成することも当然可能である。
また、電気機器収納用箱体の前面に、その内部を視認するための窓が開設されているような場合には、前板の対応する箇所に窓を形成しても何ら問題はない。
さらに、前板の折り曲げ部の有無や、天板及び側板の折り曲げ部の有無等については、言うまでもなく設計変更可能である。
【００２４】
さらにまた、上記実施形態では、側板を基準として、天板、底板、及び前板を側板に固定するとしているが、天板を基準として、側板や底板、前板を天板に固定するように構成することも可能である。
またさらに、上記実施形態では、ネジ止めにより板同士を固定するとしているが、たとえば両面テープによる貼着等であってもよく、板同士の固定はネジ止めに何ら限定されることはない。
加えて、本発明に係る組み付け構造は、分電盤以外の電気機器収納用箱体を覆う化粧部材についても好適に採用することができる。
【符号の説明】
【００２５】
１・・分電盤（電気機器収納用箱体）、２・・ネジ孔、１１・・側板、１１Ａ・・折り曲げ部、１２・・天板、１２Ａ、１２Ｂ・・折り曲げ部、１３・・底板、１４・・左前板（前板）、１４Ａ・・折り曲げ部、１５・・右前板（前板）、１５Ａ・・折り曲げ部、２２・・補強金具、２３・・ネジ止め部、２３ａ・・長孔、２６・・ネジ孔（被固定部）、２７・・被係止部、２９・・固定孔（固定部）、３１・・係止片（係止部）。
【図１】
2018152513.tif 000003
【図２】
2018152513.tif 000004
【図３】
2018152513.tif 000005
【図４】
2018152513.tif 000006
【図５】
2018152513.tif 000007
【図６】
2018152513.tif 000008
【図７】
2018152513.tif 000009
【図８】
2018152513.tif 000010
【図９】
2018152513.tif 000011
【図１０】
2018152513.tif 000012
【図１１】
2018152513.tif 000013
【図１２】
2018152513.tif 000014